(57)【要約】【課題】適宜使用でき、着脱も容易で繰り返しの使用にも適した、ペットのリードなどを取り付けることを目的とした掛け止め具。  【解決手段】平滑な面に適宜使用でき、着脱も容易で繰り返しの使用にも適した吸盤に、止め具を取り付けたことを特徴とする掛け止め具を提供する。前記掛け止め具は、その吸盤背面に回動自在な凸部を連結して、該凸部に止め具を取り付けることもできる。さらに、より固定力を大きくするため、連結軸により複数の吸盤を利用する掛け止め具とすることもできる。【選択図】        図３
2008289868.tif 000002
【特許請求の範囲】
【請求項１】
吸盤の背面中央部に凸部を設け、該凸部に止め具を取り付けたことを特徴とする吸盤付き掛けとめ具。
【請求項２】
請求項１記載の吸盤と凸部を回動自在に取り付けてなる吸盤付き掛け止め具。
【請求項３】
複数の吸盤のそれぞれの背面中央部に凸部を設け、隣接する２つの吸盤の凸部間を連結軸で結び、該連結軸の少なくとも１つの中間部に止め具を取り付けたことを特徴とする吸盤付き掛け止め具。
【請求項４】
請求項３記載の隣接する２つの吸盤の、連結軸と直角に位置する周縁外部に縁凸部を設けて、該縁凸部に連結軸と平行な摘軸を固着したことを特徴とする吸盤付き掛け止め具。
【請求項５】
請求項４記載の摘軸の中間部に摘片を取り付けてなる吸盤付き掛け止め具。
【請求項６】
請求項３記載の吸盤と凸部とを回動自在に取り付けてなる吸盤付き掛け止め具。
【請求項７】
請求項３記載の凸部と連結軸を回動自在に連結してなる吸盤付き掛け止め具。
【請求項８】
請求項３記載の連結軸の中間部に弾性軸を介装した吸盤付き掛け止め具。
【請求項９】
請求項３記載の吸盤と凸部とを回動自在に取り付けると共に、連結軸の中間部に弾性軸を介装したことを特徴とする吸盤付き掛け止め具。
【請求項１０】
請求項３記載の吸盤と凸部とを回動自在に取り付けて、前記凸部と連結軸とを回転自在に取り付けると共に、前記連結軸と凸部との間に回動自在の連結部を介装したことを特徴とする吸盤付き掛け止め具。
【請求項１１】
請求項３記載の連結軸の少なくとも１つの中間部に伸縮リードを取り付けたことを特徴とする吸盤付き掛け止め具。
【請求項１２】
請求項１及び請求項３記載の止め具を開閉自在としたことを特徴とする吸盤付き掛け止め具。
【請求項１３】
請求項１乃至請求項１２のいずれか一項に記載の吸盤に、吸盤の変形によりブザー回路をＯＮにするプッシュスイッチ付きの吸盤離脱通報ブザーを取り付けたことを特徴とする吸盤付き掛け止め具。
【請求項１４】
請求項１３記載のブザーの装置を掛け止め具本体から着脱自在としたことを特徴とする吸盤付き掛け止め具。
【発明の詳細な説明】
【技術分野】
【０００１】
本発明は、吸盤を固定し、これに取り付けた止め具へペットの引き紐その他の物を掛け止めることを目的とした掛け止め具に関する。
【背景技術】
【０００２】
従来、１つの吸盤を利用した取り付け具があった。また、複数の吸盤が連結された取り付け具があった。
【特許文献１】特開平９−２０６１９５号公報
【特許文献２】実公平７−１０６１９号公報
【発明の開示】
【発明が解決しようとする課題】
【０００３】
従来より、壁面等に物を固定する方法としては、粘着剤、マグネット、紐、単体の吸盤等が知られているが、粘着剤では繰り返しの使用に適さず、マグネットは金属面にしか固定できないため利用場所が限定され、また、固定する力と離脱させる力とが等しいため、固定力を高くすると取り外すのが困難という問題点があった。そして、紐は結ぶ物が必要であり、着脱の作業性も良くないという問題点があった。
【０００４】
ここで、単体の吸盤は滑らかな平面があれば利用可能であるため、比較的場所を選ばず使用でき、着脱も容易で繰り返しの使用にも適しているが（例えば、特許文献２参照）、ペットをつなぎとめることを目的とした掛け止め具の発明がなかった。
【０００５】
また、複数の吸盤が連結された取り付け具の使用も知られているが（例えば、特許文献１参照）、それに止め具をつけて、掛け止め具とする発明がなかった。
【０００６】
そして、吸盤が故意に離脱した時に、これを通報する手段を付加するものが望ましかった。
【課題を解決するための手段】
【０００７】
本発明の掛け止め具は、吸盤の背面中央部に凸部を設け、該凸部に止め具を取り付けた掛け止め具であり、前記止め具にペット用のリード（伸縮リードを含む）などを取り付けることで、比較的場所を選ばず使用でき、着脱も容易で繰り返しの使用もできる、ペットをつなぎとめることに適した掛け止め具である。
【０００８】
また、本発明の他の掛け止め具は、前記吸盤と凸部を回動自在に取り付けることで、引っ張り方向に止め具の方向を合わせることができる掛け止め具である。
【０００９】
次に、本発明の他の掛け止め具は、複数の吸盤のそれぞれの背面中央部に凸部を設け、隣接する２つの吸盤の凸部間を連結軸で結んだ掛け止め具であり、比較的場所を選ばず使用でき、繰り返しの使用に適し、また、固定力の高い掛け止め具である。すなわち、吸着平面に複数の吸盤を用いて取り付けるため、滑らかな面があれば水平面でも垂直面でも強固に取付可能であり、また、吸盤のうちの１つの周縁部を指で変形させれば容易に吸着平面から離脱することができ、１つの吸盤を離脱すれば、それに伴って他の吸盤も離脱できる、着脱し易い掛け止め具となった。
【００１０】
そして、本発明の他の掛け止め具は、前記連結軸の１つの中間部に止め具を取り付けることで、物を掛け止めることができる吸盤付き掛け止め具である。
【００１１】
本発明の他の掛け止め具は、前記掛け止め具の隣接する２つの吸盤の、連結軸と直角に位置する周縁外部に凸部を設けて、該凸部に連結軸と平行な摘軸を固着することで、吸着平面から取り外す際、前記摘軸を上乃至斜め上に動かすことで、両端の吸盤の周縁部を変形し、より容易に離脱することができる掛け止め具である。
【００１２】
次に、本発明の掛け止め具は、前記摘軸の中間部に摘片を取り付けることで、吸着平面から取り外す際、該摘片を上乃至斜め上に動かすことで、両端の吸盤の周縁部を変形し、より容易に離脱することができる掛け止め具である。
【００１３】
また、本発明の他の掛け止め具は、前記吸盤と凸部を回動自在に取り付けることで、若しくは連結軸を回動自在に連結することで、若しくは連結軸の中間部に弾性軸を介装することで、又はこれらを組み合わせることで、それぞれの吸盤の吸着平面の方向が異なる場合であっても取り付けることができる掛け止め具となる。
【００１４】
また、本発明の他の掛け止め具は、前記連結軸の少なくとも１つの中間部に伸縮リードを取り付けることで、吸盤による掛け止め機能と伸縮するリードの機能を一体的に用いることができる掛け止め具となる。
【００１５】
前記掛け止め具において、前記伸縮リードは、より小型化するために前記連結軸に一体的に固定してもよいし、着脱可能としてもよい。
【００１６】
また、本発明の他の掛け止め具は、前記止め具を、前記吸盤の背面中央部に設けた凸部、又は前記連結軸に開閉自在に取り付けることで、ペット用リードの取り付け、取り外しを容易とすることができる掛け止め具である。
【００１７】
前記伸縮リードとは、リードが伸縮するのではなく、リードが本体内部に巻き込まれて短くなり、巻き出して長くなることをいうものである。即ち、長短調整できるリードをいう。
【００１８】
そして、本発明の他の掛け止め具は、前記吸盤の変形により、ブザー回路をＯＮできるプッシュスイッチ付きの吸盤離脱通報できるブザー装置を取り付けることで、吸盤が故意に離脱された時には直ちに通報することができるようにした掛け止め具である。
【００１９】
また、本発明の他の掛け止め具は、前記ブザー装置を掛け止め具本体から着脱自在とすることで、吸盤の離脱に伴う通報が不要な時には、取り外すことができるようにした掛け止め具である。
【発明の効果】
【００２０】
本発明の請求項１記載の掛け止め具によれば、吸盤を用いることで、着脱が容易で繰り返しの使用もできる、ペットをつなぎとめるのに適した掛け止め具を提供できる。
【００２１】
また、本発明の請求項２記載の掛け止め具によれば、凸部を回動自在とすることで、引っ張り方向に止め具の方向を合わせることができる掛け止め具を提供できる。
【００２２】
本発明の請求項３記載の掛け止め具によれば、複数の吸盤を用いることで、引張力の大きい掛け止め具を提供できる。
【００２３】
また、請求項４及び請求項５記載の掛け止め具によれば、摘軸及び摘片を取り付けたことで、吸着平面から取り外す際、吸盤を容易に離脱することができる掛け止め具を提供できる。
【００２４】
本発明の請求項６記載の掛け止め具によれば、吸盤を回動自在とすることで、それぞれの吸盤の吸着平面の方向が異なる場合であっても、凸部と吸盤との角度を変えて、連結軸を回動させることなく取り付けることができる掛け止め具を提供できる。
【００２５】
本発明の請求項７記載の掛け止め具によれば、凸部を回動自在とすることで、それぞれの吸盤の吸着平面の方向が異なる場合であっても取り付けることができる掛け止め具を提供できる。また、引張り方向に止め具の先端部の方向を合わせることで、使用時に引張る方向が変っても止め具と凸部との取り付け部分にかかる力が少なくなり、より引張力の大きい掛け止め具を提供できる。
【００２６】
本発明の請求項８記載の掛け止め具によれば、それぞれの吸盤の吸着平面の方向が異なる場合であっても取り付けることができ、また、弾性軸は力を加えなければ元に戻るため、吸着平面から吸盤を取り外せば元の形状に戻る掛け止め具を提供できる。
【００２７】
また、本発明の請求項９及び請求項１０記載の掛け止め具によれば、それぞれの吸盤の吸着平面の方向が大きく異なる場合であっても取り付けることができる掛け止め具を提供できる。
【００２８】
請求項１１記載の掛け止め具によれば、吸盤による掛け止め機能と伸縮するリードの機能を一体的に用いることができる効果がある。
【００２９】
請求項１２記載の掛け止め具によれば、ペット用リードの取り付け、取り外しをより容易とすることができる効果がある。
【００３０】
請求項１３記載の掛け止め具によれば、吸盤付離脱通報ブザーにより、吸盤が故意に離脱された時には、直ちに自動的に通報ブザーが鳴るので、速やかに対処し、ペットの逃走又は掛け止め具の盗難を防止することができる効果がある。
【００３１】
請求項１４記載の掛け止め具によれば、ブザー装置を着脱可能とすることで、吸盤の離脱に伴う通報が必要な時にのみ取り付けて使用することができるため、通報が不要な時には取り外して、掛け止め具本体のみを持ち運べばよく、状況により使い分けることができる。また、これにより、ブザー装置を掛け止め具のオプションとして提供することも可能となる。
【発明を実施するための最良の形態】
【００３２】
２つの吸盤のそれぞれの背面中央部に凸部を設け、該凸部を連結軸で連結し、該連結軸の中間部に止め具を取り付ける。また、前記連結軸と直角に位置する吸盤の周縁外部に凸部を設けて、該凸部に連結軸と平行な摘軸を固定し、該摘軸の中間部に摘片を取り付けてなる吸盤付き掛け止め具である。
【実施例１】
【００３３】
本発明の実施例を図１（ａ）について説明すれば、当該掛け止め具Ａは、吸盤１の背面中央部に管状の連設部１ｃを立設して、該連設部１ｃ内に凸部用のパイプ３１の下端部を嵌入固定（例えば接着）し、該パイプ３１の上端に止め環５をつけるためのＵ字状の止め具３２ａを止め軸３２ｂにより取り付けて構成したものである。前記実施例において、吸盤１は公知の変形吸着作用があり、吸着平面へ押圧扁平化して吸着させる。また、止め具はＵ字状を例示したが必ずしもＵ字状の必要はなく、止め環５を取り付けることができるのであればどのような形状でも援用することができる。さらに、吸盤１の周縁部に図１（ａ）鎖線図示の摘片１１を設ければ、吸盤を吸着平面から取り外す際、該摘片１１を上乃至斜め上に引張ることにより、両端の吸盤１の周縁部を変形させて、吸盤の減圧を常圧に戻し、吸盤を容易に離脱することもできる。
【００３４】
この掛け止め具Ａによれば、例えばペットの散歩などの途中に店舗に寄ろうとする際、従来は目の届く所にリードを結びつけるところがないことがあった。然るに本発明は、予めリードの先に掛け止め具をつけておくことで、店舗の壁面や併設された自動販売機の平滑な側面等、安全で目の届くところに着脱簡単に掛け止め具Ａを固定し、その止め具に止め環５を取り付けることで、ペットを容易につなぎとめることができる。また、車での移動の際も、車中に簡単につなぎとめることができるため、安全な運転ができることが認められる。
【実施例２】
【００３５】
本発明の他の実施例を図１（ｂ）について説明すれば、当該掛け止め具の吸盤と凸部は、実施例１記載の吸盤１の背面中央部に管状の連設部１ｄを立設して、該連設部１ｄ内に凸部用のパイプ３３を回転自在に嵌入したものに該当する。また、該パイプ３３の下端部に、ねじ頭の直径が前記パイプ３３の外径よりも大きなボルト３４を螺入固定することで、該ボルト３４のねじ頭が前記連結部１ｄの下端部にあたり、前記パイプ３３が上方向に抜けないように構成したものである。
【００３６】
前記実施例においては、図２（ａ）図示の通り、請求項１記載の吸盤１の背面中央部に連設部１ｅを立設して、該連設部１ｅに連結部３７の下端部を嵌入固定し、該連結部３７と凸部用のパイプ３５との間に弾性体３６を介装することで、パイプ３５の傾斜方向を自在に定めることもできる。また、図２（ｂ）図示の通り、吸盤１の背面中央部に嵌入部１ｆを設けて、下端部を球状とした凸部３８の下端の球状部３８ａを回動自在に嵌着して構成することもできる。
【００３７】
この掛け止め具の吸盤と凸部によれば、また、引張り方向に止め具の先端部の方向を合わせることで、使用時に引張る方向が変っても止め具と凸部との取り付け部分にかかる力が少なくなり、より引張力の大きい掛け止め具となった。
【実施例３】
【００３８】
本発明の他の実施例を図３及び図４（ａ）（ｂ）について説明すれば、当該掛け止め具Ｂは、２つの吸盤１、１のそれぞれの背面中央部に凸部２を設けて、各吸盤１、１の凸部２，２を連結軸３で連結し、該連結軸３の中間部に止め環５をつけるためのＵ字状の止め具４をナット６により取り付ける。また、前記連結軸３と直角の各吸盤１、１の周縁外部に縁凸部７を設けて、該縁凸部７に、前記連結軸３と平行な摘軸８の両端を固定し、該摘軸８の中間部に摘片９が取り付ける。
【００３９】
前記実施例において、吸盤１は公知の変形吸着作用があり、吸着平面へ押圧扁平化して吸着させる。また、止め具はＵ字状を例示したが必ずしもＵ字状の必要はなく、止め環５を取り付けることができるのであれば、図３（ｃ）図示の形状のように、どのような形状でも援用できる。
【００４０】
この掛け止め具Ｂによれば、引張力の大きいものとなった。そして、摘軸８や摘片９を上乃至斜め上に引張ることにより、両端の吸盤１の周縁部を一度に変形させて、吸盤の減圧を常圧に戻し、吸盤を容易に吸着平面から離脱することができる。さらに各吸盤１に縁凸部７を設けず、摘軸８を固定しない場合も、各吸盤１の周縁部に図４（ｂ）鎖線図示の摘片１１を設ければ、吸盤を吸着平面から取り外す際、該摘片１１を上乃至斜め上に引張ることで、両端の吸盤１の周縁部を変形させて、吸盤の減圧を常圧に戻し、吸盤を容易に離脱することもできる。
【００４１】
そして、例えばペットの散歩などの途中に店舗に寄ろうとする際、従来は目の届く所にリードを結びつけるところがないことがあった。然るに本発明は、予めリードの先に掛け止め具をつけておくことで、店舗の壁面や併設された自動販売機の平滑な側面等、安全で目の届くところに着脱簡単に掛け止め具Ａを固定し、その止め具に止め環５を取り付けることで、ペットを容易につなぎとめることができる。また、車での移動の際も、車中に簡単につなぎとめることができるため、安全な運転ができることが認められる。
【実施例４】
【００４２】
本発明の他の実施例を図４（ｃ）について説明すれば、当該掛け止め具の吸盤と凸部は、実施例３記載の吸盤１の背面中央部に球状突起１ａを設けて、下端部に嵌入部１ａを設けた凸部２を嵌着して構成したものに該当する。前記実施例において、該凸部２の嵌入部２ａは、球状突起１ａの半球部分に嵌着することで、全方位に傾斜可能となる。
【００４３】
ここで、前記実施例においては、図７（ｂ）図示の通り、吸盤１の背面中央部に嵌入部１ｂを設けて、下端部を球状２ｇとした凸部片２ｆを嵌着して構成することもできる。
【００４４】
前記掛け止め具の吸盤と凸部によれば、実施例３記載の効果に加え、それぞれの吸盤の吸着平面の方向が異なる場合であっても、連結軸を回動させることなく取り付けることができる。
【実施例５】
【００４５】
本発明の他の実施例を図５（ａ）乃至（ｄ）について説明すれば、この掛け止め具の軸は、実施例３記載の連結軸３が、それぞれ連結部１２、１３、１４で連結されたものに該当する。
【００４６】
前記実施例において、連結部１２は、両端の連結軸部材３ａ及び中央の連結軸部材３ｂのそれぞれにつけた継ぎ手１２ａをボルト１２ｂで結合して構成することで、中央の連結軸部材３ｂに対して両端の連結軸部材３ａが上下方向に回動自在となる。また、連結部１３は、両端の連結軸部材３ａ及び中央の連結軸部材３ｂのそれぞれにつけたＵ字環を結合して構成することで、中央の連結軸部材３ｂに対して両端の連結軸部材３ａが回動自在となる。そして、連結部１４は、球継ぎ手で結合して構成することで（図（ｄ））、中央の連結軸部材３ｂに対して両端の連結軸部材３ａが回動自在となる。
【００４７】
この掛け止め具の軸によれば、実施例３記載の効果に加え、前記の通り連結軸を折り曲げることで吸盤の方向を変える事ができるため、それぞれの吸盤の吸着平面の方向が異なる場合であっても取り付けることができる。また、引張り方向に止め具の先端部の方向を合わせることで、使用時に引張る方向が変っても止め具と凸部との取り付け部分にかかる力が少なくなり、より引張力の大きい掛け止め具となった。
【実施例６】
【００４８】
本発明の他の実施例を図５（ｅ）について説明すれば、この掛け止め具の軸は、実施例３記載の凸部２の腔内２ｇにナット１５を収容して、該ナット１５にねじ溝をつけた連結軸３ｃが螺着する。上記実施例において、前記ナット１５を固定しても、連結軸３ｃは回転可能となる。
【００４９】
この掛け止め具の軸によれば、実施例３記載の効果に加え、前記止め具４を前記連結軸３ｃに取り付けた後も、該連結軸３ｃを回転させることで、前記止め具４の方向を自在に定めることができる。
【実施例７】
【００５０】
本発明の他の実施例を図６について説明すれば、当該掛け止め具Ｃは、実施例３の掛け止め具の吸盤１を３つにし、それぞれの背面中央部に凸部２ｃを設け、該凸部２ｃを連結軸３で連結して、各連結軸３の中間部に止め環５をつけるためのＵ字状の止め具４がナット６により取り付けられている。そして、前記連結軸３のうちの１つと直角に位置する吸盤の周縁外部に縁凸部７を設けて、該縁凸部７に、前記連結軸３と平行な摘軸８の両端を固定し、該摘軸８の中間部に摘片９が取り付けられている。
【００５１】
前記実施例において、止め具４は、少なくとも１つあれば、掛け止め具としての用途を果たせるが、各連結軸に取り付けることで、さまざまな方向に止め環５を取り付けることができる。
【００５２】
この掛け止め具Ｃによれば、実施例３の掛け止め具と比べ、吸盤の数が多いため、より強固に取付可能であり、また、摘片９を上乃至斜め上に引張ることで、まず両端の吸盤１の周縁部を変形させて、吸盤の減圧を常圧に戻し、それらの吸盤を吸着平面から離脱し、その勢いで残りの吸盤も離脱させることができる。
【実施例８】
【００５３】
本発明の他の実施例を図７及び図８について説明すれば、当該掛け止め具Ｄは、実施例３記載の吸盤１の背面中央部に嵌入部１ｂを設けて、下端部を球状とした凸部片２ｆを回動自在に嵌着して、該凸部片２ｆに凸部片２ｅを一定方向（矢示２５の方向）に回動自在に連結したものである。また、該凸部片２ｅに連結部１８ｂを矢示２４の通りに回転自在に取り付けて、該連結部１８ｂと、中間部に弾性軸１６を介装して両端に連結部１８ａを取り付けた連結部材１７とを取り付けた吸盤付き掛け止め具である。
【００５４】
ここで、前記連結部１８ｂは、止め軸１９ａを中心として矢示２０ａの方向に、また、止め軸１９ｂを中心として矢示２０ｂの方向に、それぞれ回動自在な連結部を有している。
【００５５】
また、前記凸部片２ｅと連結部１８ｂ及び１８ａは、用途により自由に取り外しできる。図８（ａ）図示の通り、前記凸部片２ｅと連結部１８ｂは、ストッパー部材２６により固定された球２１ｂにより結合されているが、ストッパー部材２６を連結軸方向に押すことで、ストッパー部材２６に設けた凹み部分２６ａに球２１ｂがはまる。そうすると、前記凸部片２ｅと連結部１８の結合が外れ、連結部１８ａを取り外すことができる。ここで、ストッパー部材２６はスプリング２３により連結軸と反対の方向に付勢しているため、押すことを止めればもとの状態に戻る。また、連結部１８ｂ及び連結部１８ａは、スプリング２２により上側に付勢している球２１ａにより結合されているが、前記連結部１８ｂ及び連結部１８ａ左右方向に強く引くことで下へ引っ込み、取り外すことができる。
【００５６】
そして、前記凸部片２ｅと前記連結部１８ｂの連結部分の形状と、前記連結部１８ｂと前記連結部１８ａの連結部分の形状は同一であるため、前記凸部片２ｅと前記連結部１８ａを連結することもできる。
【００５７】
さらに、前記実施例において、吸盤と凸部の取付部分を実施例４記載の構造としても良い。また、前記連結軸部材１７、連結部１８ａ、１８ｂ及び凸部片２ｅの連結構造は、実施例５又は実施例６の構造とすることもできる。そして、前記弾性軸は前記実施例においてはゴムを使用したが、ばねその他の弾性材であっても、連結軸を回動自在とすることができるものであれば良い。
【００５８】
また、吸盤１の周縁部に図７（ｂ）鎖線図示の摘片１１を設ければ、吸着平面から取り外す際、前記摘片１１を上乃至斜め上に引張ることで、両端の吸盤１の周縁部を変形させて、吸盤の減圧を常圧に戻し、吸盤を容易に離脱することもできる。
【００５９】
この掛け止め具は、実施例３記載の効果に加え、それぞれの吸盤の吸着平面の方向が異なる場合であっても取り付けることができる。また、止め具を取り付けた後も回転により、該止め具の方向を自在に定めることができる。そして、連結部を取り外すことで、本体をよりコンパクトにし、より携帯性に優れた形状に変更することもできる。
【実施例９】
【００６０】
本発明の他の実施例を図９乃至図１１について説明すれば、掛け止め具Ｅは、実施例３記載の各吸盤１に縁凸部７を設けず、図９鎖線図示の摘片１１を設けた場合であって、ブザー回路に必要な部材をカバー５５に取り付けたブザー装置６０を、前記掛け留め具の一方の凸部に着脱自在に取り付けたものである。前記ブザー装置６０は、カバー５５の内側にプッシュスイッチ５１、電源５２及びブザー５３を取り付けて、それぞれを配線しブザー回路５０を構成した。前記ブザー回路５０には、電源スイッチ５２ａとプッシュスイッチ５１が介装してある（図１１図示）。前記電源スイッチ５２ａは、前記カバー５５の外側に取り付け、前記ブザー装置６０を掛け止め具本体に取り付けた時でもＯＮとＯＦＦの操作ができるようにした。
【００６１】
前記プッシュスイッチ５１は、図９（ｂ）に示すように、筒体５１ａの内側に、配線５４ａ、５４ｂとそれぞれ接続した弾性の可動電極５６ａと、固定電極５６ｂとが設置され、前記可動電極５６ａの先端部と固定電極５６ｂとを離接可能に当接させてある。また、プッシュボタン５７の杆体５７ａの上端を前記可動電極５６ａの下部に臨ませると共に、前記筒体５１ａの下部内側に固定した固定板５９に昇降自在に取り付けてある。プッシュボタン５７の停止板５７ｂと前記固定板５９との間にはスプリング５８を嵌装してある。
【００６２】
前記実施例において、掛け止め具の使用時は、まず、ブザー装置６０を一方の凸部２に取り付ける。前記ブザー装置６０は、カバー５５の内側下部に設けた鉤部５５ａ、５５ａを、前記凸部２の下部に環状に設けた突起部２ｉに嵌着することで取り付けたが、ブザー装置６０が着脱自在であれば、どのような取り付け方法でもよい。そして、吸着平面に吸盤を取り付けた後に電源スイッチ５２ａをＯＮにする。その際、吸盤１は変形し、吸着平面に密着することで図１０（ａ）図示の幅ｈが短くなることから、筒体５１ａと吸盤１の上面との間の幅が狭くなる（同（ｂ）図示）。その結果、吸盤１によりプッシュボタン５７が押し上げられ、前記杆体５７ａが可動電極５６ａを押し上げることになる。即ち、該可動電極５６ａの先端部分が固定電極５６ｂから離れているため、前記ブザー回路は開放されている（図１１鎖線図示）。次に、吸着平面から吸盤が離脱した時は、吸盤１は元の形状に戻り、押し上げられていた前記杆体５７ａはスプリング５８により下がるので、前記杆体５７ａに押し上げられていた可動電極５６ａがその弾性により自動的に旧位置へ戻り、該可動電極５６ａの先端部分と固定電極５６ｂとが当接するため（図１２（ｂ）図示）、前記ブザー回路は完結してブザーが鳴る（図１１実線図示）。即ち、吸盤が離脱した時にはブザーが鳴るため、所有者はブザーの音を聞き速やかに対処できるので、ペットの逃走又は掛け止め具の盗難を防止することができる。
【００６３】
前記実施例において、使用をしないときは、電源スイッチ５２ａを手動でＯＦＦにすることで、ブザー回路は開放された状態となるので、ブザーが鳴ることはない。
【００６４】
また、通報が不要な場合は、ブザー装置６０を掛け留め具本体から取り外して使用しても良い。
【実施例１０】
【００６５】
本発明の他の実施例を図１２について説明すれば、まず、掛け止め具Ｆは、同図（ａ）に示すように、実施例３記載の連結軸３の中間部に取り付けた止め具４に、伸縮リード６１を着脱自在に取り付けたものである。
【００６６】
前記伸縮リード６１は、前記止め具４を伸縮リードの嵌合部６１ｂに嵌合して取り付けたが、着脱可能であれば、どのような手段を用いることもできる。
【００６７】
前記伸縮リード６１のリードは伸縮リード本体６１ａに内蔵されており、リード先端部６２を先端として長短自在に調節できる（図１２（ｂ）図示参照）。また、前記先端部６２には、止め環６３を介してカラビナ６４を取り付けた。前記カラビナ６４は、首輪やハーネスへの取り付けを可能とする。
【００６８】
前記掛け止め具Ｆによれば、ペットの散歩のために伸縮リードを用いる時には、掛け止め具と一体的に使用することができ、不要な場合は、掛け止め具本体から取り外して使用することもできる。
【００６９】
次に、掛け止め具Ｇは、同図（ｂ）及び（ｃ）に示すように、前記掛け止め具Ｆの伸縮リードを連結軸３の中間部に固定したものである。前記連結軸３に、伸縮リード６５の中心を通し、環状ストッパー６６、６６で固定した。
【００７０】
前記掛け止め具Ｇによれば、前記掛け止め具Ｆよりも、掛け止め具本体と伸縮リードが一体的となるため、持ち運びがより、容易となる。
【実施例１１】
【００７１】
本発明の他の実施例を図１３について説明すれば、掛け止め具Ｈは、実施例３記載の連結軸３の中間部に取り付けた止め具を開閉自在としたものである。即ち、前記止め具６７は、逆Ｊ字状であって、長い方の端部を、同図（ａ）に示すように、前記連結軸３の中間部に貫通させて、上下回転自在に取り付けた。また、前記止め具６７の長いほうの端部に底部６７ａを設けて、該底部６７ａと前記連結軸３との間に、スプリング６８を介装した。これにより、止め具６７は同図の下方向に付勢する。そして、前記連結軸３には、前記止め具６７の短いほうの端部（先端部６７ｂ）を挿着するための穿孔６９を設けた。
【００７２】
前記掛け止め具Ｈは、止め具６７にペット用リード７０の先を通して使用する。前記ペット用リード７０の先を止め具６７に通す際は、止め具６７を上方向に引き、止め具６７の先端部６７ｂと前記連結軸３の外壁との間の開口部を広くすることで、前記ペット用リードを容易に通すことができ、また、取り外すことができる。
【００７３】
ここで、ペットをつなぎとめておく際は、ペットがリードを引張ることで、前記先端部６７ｂが穿孔６９から外れてしまうことが考えられる。しかし、前記掛け止め具の使用時は、ペットより上方位置に掛け止めるのが一般的であり、また、図１３（ｂ）に示すように、止め具６７の内側の幅と軸の直径との関係から、付勢した前記先端部６７ｂと前記連結軸３の外壁との間の開口部はほぼ閉じた状態となるため、当該開口部からペット用リード７０が意図せず外れる可能性は少ない。
【図面の簡単な説明】
【００７４】
【図１】（ａ）本発明の実施例の斜視図、（ｂ）同じく他の実施例の一部を断面した正面図。
【図２】（ａ）同じく他の実施例の正面図、（ｂ）同じく他の実施例の一部を断面した正面図。
【図３】（ａ）同じく他の実施例の平面図、（ｂ）同じく正面図、（ｃ）同じく他の実施例の一部を省略した平面図。
【図４】（ａ）同じく側面図、（ｂ）同じく他の実施例の側面図、（ｃ）同じく他の実施例の一部の断面図。
【図５】（ａ）同じく他の実施例の一部を省略した連結軸の正面図、（ｂ）同じく平面図、（ｃ）同じく他の実施例の一部を省略した連結軸の正面図、（ｄ）同じく他の実施例の一部を省略し、一部を断面した連結軸の正面図、（ｅ）同じく連結軸端にナットを螺着し、凸部の腔内に収容した実施例の一部の断面図。
【図６】（ａ）同じく吸盤を３つ用いた実施例の平面図、（ｂ）同じく正面図。
【図７】（ａ）同じく他の実施例の平面図、（ｂ）同じく正面図。
【図８】（ａ）同じく一部を省略した拡大断面図、（ｂ）同じく連結軸の連結部分を外した一部の拡大正面図。
【図９】（ａ）同じく他の実施例の一部を断面した平面図、（ｂ）同じくプッシュスイッチの一部拡大断面図、（ｃ）同じく一部を断面した側面図。
【図１０】（ａ）同じくプッシュスイッチＯＮ時の説明図、（ｂ）同じくＯＦＦ時の説明図。
【図１１】同じく回路図。
【図１２】（ａ）同じく他の実施例の平面図、（ｂ）同じく他の実施例の平面図、（ｃ）同じく一部を省略した、縦断側面図。
【図１３】（ａ）同じく他の実施例の止め具の移動を示す説明図、（ｂ）同じく止め具の貫通部の説明図。
【符号の説明】
【００７５】
Ａ、Ｂ、Ｃ、Ｄ、Ｅ、Ｆ、Ｇ，Ｈ  吸盤付き掛け止め具
１  吸盤
１ａ  球状突起
１ｂ、１ｆ  吸盤の嵌入部
１ｃ、１ｄ、１ｅ  管状の連設部
２、２ｂ、２ｃ、２ｄ  凸部
２ａ  凸部の嵌入部
２ｇ  凸部の腔内
２ｈ、３８ａ  凸部の球状部
２ｅ、２ｆ  凸部片
２ｉ  凸部の突起部
３、３ａ、３ｂ、３ｃ  連結軸
４、４ａ、３２ａ、６７  止め具
５、６３  止め環
６、１５  ナット
７  縁凸部
８  摘軸
９、１１  摘片
１０、１２ｂ、３４  ボルト
１２、１３、１４、１８ａ、１８ｂ、３７  連結部
１２ａ  継ぎ手
１６  弾性軸
１７  連結軸部材
１９ａ、１９ｂ、３２ｂ  止め軸
２０ａ、２０ｂ、２４、２５、４０  可動向きを示す矢印
２１ａ、２１ｂ  球
２２、２３、６８  スプリング
２６  ストッパー部材
２６ａ  ストッパー部材の凹み部分
３１、３３、３５、３８  凸部用のパイプ
３６  弾性体
５１  プッシュスイッチ
５１ａ  筒体
５２  電源
５２ａ  電源スイッチ
５３  ブザー
５４、５４ａ、５４ｂ  配線
５６ａ  可動電極
５６ｂ  固定電極
５７  プッシュボタン
５７ａ  杆体
５７ｂ  停止板
５８  スプリング
５９  固定板
５０  ブザー回路
５５  カバー
５５ａ  鉤部
６０  ブザー装置
６１、６５  伸縮リード
６１ａ  本体
６１ｂ  嵌合部
６２  リード先端部
６４  カラビナ
６６  環状ストッパー
６７ａ  止め具の底部
６７ｂ  止め具の先端部
６９  穿孔
７０、７１  リード
【図１】
2008289868.tif 000003
【図２】
2008289868.tif 000004
【図３】
2008289868.tif 000005
【図４】
2008289868.tif 000006
【図５】
2008289868.tif 000007
【図６】
2008289868.tif 000008
【図７】
2008289868.tif 000009
【図８】
2008289868.tif 000010
【図９】
2008289868.tif 000011
【図１０】
2008289868.tif 000012
【図１１】
2008289868.tif 000013
【図１２】
2008289868.tif 000014
【図１３】
2008289868.tif 000015